(57)【要約】【課題】  入浴終了後に、効率的に浴水の浄化を実行できる浴水浄化システム、浴水浄化方法および浴水浄化ユニットを提供すること。【解決手段】  浴水を貯水する浴槽と、浴槽から吸水した浴水を浄化し、浄化後の浴水を前記浴槽へ吐水する浄化ユニットと、を備え、浴槽は、内部を第１空間と第２空間とに割合を変化させて分割する分割部材を有し、浄化ユニットは、前記浴槽から吸水した浴水を浄化する浄化本体と、浄化本体に連結する浄化吸水管と、第１空間側の浴槽に連結する第１吸水管と、第２空間側の浴槽に連結する第２吸水管と、浄化吸水管が第１吸水管と第２吸水管のいずれと連通するかを切り換える吸水切換部と、を含む吸水流路と、浄化本体に連結する浄化吐水管と、第１空間側の浴槽に連結する第１吐水管と、第２空間側の浴槽と連結する第２吐水管と、浄化吐水管が第１吐水管と第２吐水管のいずれと連通するかを切り換える吐水切換部と、を含む吐水流路と、を備える。【選択図】  図１
2020014556.tif 000002
【特許請求の範囲】
【請求項１】
浴水を貯水する浴槽と、
前記浴槽から吸水した浴水を浄化し、浄化後の浴水を前記浴槽へ吐水する浄化ユニットと、を備え、
前記浴槽は、内部を第１空間と第２空間とに割合を変化させて分割する分割部材を有し、
前記浄化ユニットは、
前記浴槽から吸水した浴水を浄化する浄化本体と、
前記浄化本体に連結する浄化吸水管と、前記第１空間側の浴槽に連結する第１吸水管と、前記第２空間側の浴槽に連結する第２吸水管と、前記浄化吸水管が前記第１吸水管と前記第２吸水管のいずれと連通するかを切り換える吸水切換部と、を含む吸水流路と、
前記浄化本体に連結する浄化吐水管と、前記第１空間側の浴槽に連結する第１吐水管と、前記第２空間側の浴槽と連結する第２吐水管と、前記浄化吐水管が前記第１吐水管と前記第２吐水管のいずれと連通するかを切り換える吐水切換部と、を含む吐水流路と、を備える浴水浄化システム。
【請求項２】
前記浄化ユニットは、
前記浄化吸水管と前記第１吸水管とが連通し、前記浄化吐水管と前記第１吐水管とが連通する第１循環モードと、
前記浄化吸水管と前記第１吸水管とが連通し、前記浄化吐水管と前記第２吐水管とが連通する移送モードと、
前記浄化吸水管と前記第２吸水管とが連通し、前記浄化吐水管と前記第２吐水管とが連通する第２循環モードと、
前記浄化吸水管と前記第２吸水管とが連通し、前記浄化吐水管と前記第１吐水管とが連通する返送モードと、
を切り換える制御装置を備える、請求項１に記載の浴水浄化システム。
【請求項３】
前記制御装置は、
前記第１循環モードでは、前記浴槽の第１空間が最大であり、
前記第２循環モードでは、前記浴槽の第２空間が最大であり、
前記移送モードでは、前記浴槽の第１空間の割合が減少し、
前記返送モードでは、前記浴槽の第２空間の割合が減少する、請求項２に記載の浴水浄化システム。
【請求項４】
前記浴槽は、底壁と、前記底壁から立設され対向する一対の側壁と、前記一対の側壁の夫々の一端側を閉鎖するように設置され、前記第１吸水管および前記第１吐水管を連結する第１端壁と、前記一対の側壁の夫々の他端側を閉鎖するように設置され、前記第２吸水管および前記第２吐水管を連結する第２端壁と、を有する、請求項１〜３のいずれかに記載の浴水浄化システム。
【請求項５】
前記分割部材は、前記浴槽の前記第１端壁と前記第２端壁との間を前記両端壁と平行に摺動する仕切壁である、請求項４に記載の浴水浄化システム。
【請求項６】
前記分割部材は、前記浴槽の前記第２端壁から前記第１端壁に向けて胴部が伸長する伸縮性チャンバーである、請求項４に記載の浴水浄化システム。
【請求項７】
浴水を貯水し、内部を第１空間と第２空間とに割合を変化させて分割する分割部材を有する浴槽から吸水した浴水を浄化本体により浄化し、浄化後の浴水を前記浴槽へ吐水する浴水浄化方法であって、
前記第１空間から吸水した浴水を前記浄化本体により浄化し、浄化後の浴水を前記第１空間に吐水するステップと、
前記第１空間から吸水した浴水を前記浄化本体により浄化し、浄化後の浴水を前記第２空間に吐水するステップと、
前記第２空間に吐水するステップ終了後に、前記第２空間から吸水した浴水を前記浄化本体により浄化し、浄化後の浴水を前記第２空間に吐水するステップと、を備える浴水浄化方法。
【請求項８】
さらに、前記第２空間から吸水した浴水を前記浄化本体により浄化し、浄化後の浴水を前記第１空間に吐水するステップ、を備える請求項７に記載の浴水浄化方法。
【請求項９】
浴水を貯水し、内部を第１空間と第２空間とに分割する分割部材を有する浴槽から吸水した浴水を浄化する浄化本体と、
前記浄化本体に連結する浄化吸水管と、前記第１空間側の浴槽に連結する第１吸水管と、前記第２空間側の浴槽に連結する第２吸水管と、前記浄化吸水管が前記第１吸水管と前記第２吸水管のいずれと連通するかを切り換える吸水切換部と、を有する吸水流路と、
前記浄化本体に連結する浄化吐水管と、前記第１空間側の浴槽に連結する第１吐水管と、前記第２空間側の浴槽に連結する第２吐水管と、前記浄化吐水管が前記第１吐水管と前記第２吐水管のいずれと連通するかを切り換える吐水切換部と、を有する吐水流路と、を備える浄化ユニット。
【請求項１０】
前記浄化ユニットは、
前記浄化吸水管と前記第１吸水管とが連通し、前記浄化吐水管と前記第１吐水管とが連通する第１循環モードと、
前記浄化吸水管と前記第１吸水管とが連通し、前記浄化吐水管と前記第２吐水管とが連通する移送モードと、
前記浄化吸水管と前記第２吸水管とが連通し、前記浄化吐水管と前記第２吐水管とが連通する第２循環モードと、
前記浄化吸水管と前記第２吸水管とが連通し、前記浄化吐水管と前記第１吐水管とが連通する返送モードと、
を切り換える制御装置を備える、請求項９に記載の浄化ユニット。
【請求項１１】
前記制御装置は、
前記第１循環モードでは、前記浴槽の第１空間が最大であり、
前記第２循環モードでは、前記浴槽の第２空間が最大であり、
前記移送モードでは、前記浴槽の第１空間の割合が減少し、
前記返送モードでは、前記浴槽の第２空間の割合が減少する、請求項１０に記載の浄化ユニット。
【発明の詳細な説明】
【技術分野】
【０００１】
本発明は、浴水浄化システム、浴水浄化方法および浴水浄化ユニットに関し、とくに入浴終了後に、効率的に浴水の浄化を実行できる浴水浄化システム、浴水浄化方法および浴水浄化ユニットに関するものである。
【背景技術】
【０００２】
従来から、風呂掃除の手間を省き、節水を図るために、２４時間風呂と呼ばれ、浴槽から浴水を吸水し、フィルター等によるろ過や、紫外線ランプ等による殺菌を行う（以下、ろ過と殺菌とを併せて「浄化」という。）と同時に、電気ヒータにより所定の水温に保温後、浴槽に吐水することを繰り返すことで、浴槽内の浴水を絶えず清浄に保つ浴水浄化保温装置が知られている。
【０００３】
しかしながら、従来の浴水浄化保温装置は、浴槽から浴水の一部を吸水し、浄化後の浴水を浴槽内の未浄化の浴水に戻すことを繰り返すため、浴槽内の浴水全体を浄化するのに時間がかかるだけでなく、入浴時の浴水の温度である３５℃〜４０℃は、細菌の増殖に適しているため、殺菌効率が悪く、細菌の増殖速度に対応するには、浴槽と浄化保温装置との間で浴水を循環させる循環ポンプの能力を高くする必要があった。
このため、浴槽とは別に、浴水の貯水タンクを設けることによって上記の問題を解決することが従来から知られている（例えば、特許文献１および２参照）。  
【先行技術文献】
【特許文献】
【０００４】
【特許文献１】特開平２−２７４２１３号公報
【特許文献２】特開２００７−３８１３２号公報
【発明の概要】
【発明が解決しようとする課題】
【０００５】
しかしながら、上記特許文献１および２記載の浴槽装置では、浴水の浄化を効率的に実行できるものの、浴槽とは別に貯水タンクを設置する必要があり、浴室内に貯水タンクの設置スペースを確保するのが困難であるという問題があった。
【０００６】
本発明は、上記問題を解決することを課題とし、浴槽とは別のスペースに貯水タンクを設置する必要がなく、入浴終了後に、効率的に浴水の浄化を実行できる浴水浄化システム、浴水浄化方法および浴水浄化ユニットを提供することを目的とする。
【課題を解決するための手段】
【０００７】
本発明は、上記の課題を解決するため、浴水浄化システムとして、浴水を貯水する浴槽と、前記浴槽から吸水した浴水を浄化し、浄化後の浴水を前記浴槽へ吐水する浄化ユニットと、を備え、前記浴槽は、内部を第１空間と第２空間とに割合を変化させて分割する分割部材を有し、前記浄化ユニットは、前記浴槽から吸水した浴水を浄化する浄化本体と、前記浄化本体に連結する浄化吸水管と、前記第１空間側の浴槽に連結する第１吸水管と、前記第２空間側の浴槽に連結する第２吸水管と、前記浄化吸水管が前記第１吸水管と前記第２吸水管のいずれと連通するかを切り換える吸水切換部と、を含む吸水流路と、前記浄化本体に連結する浄化吐水管と、前記第１空間側の浴槽に連結する第１吐水管と、前記第２空間側の浴槽と連結する第２吐水管と、前記浄化吐水管が前記第１吐水管と前記第２吐水管のいずれと連通するかを切り換える吐水切換部と、を含む吐水流路と、を備える構成を採用する。
【０００８】
浴水浄化システムの実施形態として、前記浄化ユニットは、前記浄化吸水管と前記第１吸水管とが連通し、前記浄化吐水管と前記第１吐水管とが連通する第１循環モードと、前記浄化吸水管と前記第１吸水管とが連通し、前記浄化吐水管と前記第２吐水管とが連通する移送モードと、前記浄化吸水管と前記第２吸水管とが連通し、前記浄化吐水管と前記第２吐水管とが連通する第２循環モードと、前記浄化吸水管と前記第２吸水管とが連通し、前記浄化吐水管と前記第１吐水管とが連通する返送モードと、を切り換える制御装置を備える、構成を採用し、また、前記制御装置は、前記第１循環モードでは、前記浴槽の第１空間が最大であり、前記第２循環モードでは、前記浴槽の第２空間が最大であり、前記移送モードでは、前記浴槽の第１空間の割合が減少し、前記返送モードでは、前記浴槽の第２空間の割合が減少する、構成を採用し、また、前記浴槽は、底壁と、前記底壁から立設され対向する一対の側壁と、前記一対の側壁の夫々の一端側を閉鎖するように設置され、前記第１吸水管および前記第１吐水管を連結する第１端壁と、前記一対の側壁の夫々の他端側を閉鎖するように設置され、前記第２吸水管および前記第２吐水管を連結する第２端壁と、を有する、構成を採用し、また、前記分割部材は、前記浴槽の前記第１端壁と前記第２端壁との間を前記両端壁と平行に摺動する仕切壁である、構成を採用し、また、前記分割部材は、前記浴槽の前記第２端壁から前記第１端壁に向けて胴部が伸長する伸縮性チャンバーである、構成を採用する。
【０００９】
浴水浄化方法の実施形態として、浴水を貯水し、内部を第１空間と第２空間とに割合を変化させて分割する分割部材を有する浴槽から吸水した浴水を浄化本体により浄化し、浄化後の浴水を前記浴槽へ吐水する浴水浄化方法であって、前記第１空間から吸水した浴水を前記浄化本体により浄化し、浄化後の浴水を前記第１空間に吐水するステップと、前記第１空間から吸水した浴水を前記浄化本体により浄化し、浄化後の浴水を前記第２空間に吐水するステップと、前記第２空間に吐水するステップ終了後に、前記第２空間から吸水した浴水を前記浄化本体により浄化し、浄化後の浴水を前記第２空間に吐水するステップと、を備える構成を採用し、また、さらに、前記第２空間から吸水した浴水を前記浄化本体により浄化し、浄化後の浴水を前記第１空間に吐水するステップ、を備える構成を採用する。
【００１０】
浄化ユニットの実施形態として、浴水を貯水し、内部を第１空間と第２空間とに分割する分割部材を有する浴槽から吸水した浴水を浄化する浄化本体と、前記浄化本体に連結する浄化吸水管と、前記第１空間側の浴槽に連結する第１吸水管と、前記第２空間側の浴槽に連結する第２吸水管と、前記浄化吸水管が前記第１吸水管と前記第２吸水管のいずれと連通するかを切り換える吸水切換部と、を有する吸水流路と、前記浄化本体に連結する浄化吐水管と、前記第１空間側の浴槽に連結する第１吐水管と、前記第２空間側の浴槽に連結する第２吐水管と、前記浄化吐水管が前記第１吐水管と前記第２吐水管のいずれと連通するかを切り換える吐水切換部と、を有する吐水流路と、を備える構成を採用し、また、前記浄化ユニットは、前記浄化吸水管と前記第１吸水管とが連通し、前記浄化吐水管と前記第１吐水管とが連通する第１循環モードと、前記浄化吸水管と前記第１吸水管とが連通し、前記浄化吐水管と前記第２吐水管とが連通する移送モードと、前記浄化吸水管と前記第２吸水管とが連通し、前記浄化吐水管と前記第２吐水管とが連通する第２循環モードと、前記浄化吸水管と前記第２吸水管とが連通し、前記浄化吐水管と前記第１吐水管とが連通する返送モードと、を切り換える制御装置を備える、構成を採用し、また、前記制御装置は、前記第１循環モードでは、前記浴槽の第１空間が最大であり、前記第２循環モードでは、前記浴槽の第２空間が最大であり、前記移送モードでは、前記浴槽の第１空間の割合が減少し、前記返送モードでは、前記浴槽の第２空間の割合が減少する、構成を採用する。
【発明の効果】
【００１１】
本発明の浴水浄化システム、浴水浄化方法および浴水浄化ユニットは、上記構成を採用することにより、入浴終了後に、浄化本体による浄化後の浴水を貯水するスペースが確保でき、浄化前後の浴水が混じることがないため、循環ポンプの能力を高めなくても、浴水の浄化を効率良く実行することが可能となる。
また、入浴に使用する浴槽の一部を貯水スペースとして使用することが可能となり、浴槽以外に貯水スペースを確保する必要がなくなる。
【図面の簡単な説明】
【００１２】
【図１】本発明の第１実施例である浴水浄化システムの第１循環モードを示す説明図である。
【図２】本発明の第１実施例である浴水浄化システムの移送モードを示す説明図である。
【図３】本発明の第１実施例である浴水浄化システムの第２循環モードを示す説明図である。
【図４】本発明の第１実施例である浴水浄化システムの返送モードを示す説明図である。
【図５】本発明の第１実施例である浴水浄化システムの浴槽を示す斜視図である。
【図６】本発明の第１実施例である浄化ユニットの電気的構成を示すブロック図である。
【図７】本発明の第１実施例である浄化ユニットにおける各モードの制御態様を示すフローチャートである。
【図８】本発明の第１実施例である浄化ユニットにおける第１循環モードのサブルーチンを示すフローチャートである。
【図９】本発明の第１実施例である浄化ユニットにおける移送モードのサブルーチンを示すフローチャートである。
【図１０】本発明の第１実施例である浄化ユニットにおける第２循環モードのサブルーチンを示すフローチャートである。
【図１１】本発明の第１実施例である浄化ユニットにおける返送モードのサブルーチンを示すフローチャートである。
【図１２】本発明の第２実施例である浴水浄化システムの第１循環モードを示す説明図である。
【図１３】本発明の第２実施例である浴水浄化システムの移送モードを示す説明図である。
【図１４】本発明の第２実施例である浴水浄化システムの第２循環モードを示す説明図である。
【図１５】本発明の第２実施例である浴水浄化システムの返送モードを示す説明図である。
【発明を実施するための形態】
【００１３】
次に、本発明の浴水浄化システムについて、実施例を示した図面を参照して説明する。
【実施例１】
【００１４】
図１〜４において、Ｃは浴水ｗを貯水する浴槽、Ｐは前記浴槽Ｃから吸水した浴水ｗを浄化し、浄化後の浴水ｗを前記浴槽Ｃへ吐水する浄化ユニットである。
【００１５】
図５に示すように、浴槽Ｃは、全体形状が略直方体をなし、水平な底壁２と、前記底壁２から垂直に立設され対向する一対の側壁３、４と、前記一対の側壁３、４の夫々の一端側３ａ、４ａを閉鎖するように設置される第１端壁５と、前記一対の側壁３、４の夫々の他端側３ｂ、４ｂを閉鎖するように設置される第２端壁６とを備えている。
【００１６】
前記浴槽Ｃは、内部を任意の割合で第１空間Ａと第２空間Ｂとに分割するために、分割部材として仕切壁７を備えている。
前記仕切壁７は、両側面７ａ、７ｂおよび下端面７ｃが前記浴槽Ｃの両側壁３、４および底壁２の内面と液密に摺接した状態で、前記第１端壁５と前記第２端壁６との間を前記両端壁５、６と平行に摺動できるように設けられている。
【００１７】
図１〜４に示すように、浄化ユニットＰは、浴水ｗを吸水口２７ａから吸水して浄化し、浄化後の浴水ｗを吐水口２７ｂから吐水する浄化本体としての浄化保温装置１０と、前記浴槽Ｃからの浴水ｗを前記浄化保温装置１０に吸水する吸水流路１５と、前記浄化保温装置１０によって浄化後の浴水ｗを前記浴槽Ｃへ吐水する吐水流路２０とを備えている。
【００１８】
前記吸水流路１５は、前記浄化保温装置１０の吸水口２７ａに連結する浄化吸水管１３と、第１空間Ａ側である前記浴槽Ｃの第１端壁５に連結する第１吸水管１１と、第２空間Ｂ側である前記浴槽Ｃの第２端壁６に連結する第２吸水管１２と、前記浄化吸水管１３が前記第１吸水管１１と前記第２吸水管１２のいずれと連通するかを切り換える吸水切換部としての吸水切換バルブ１４とを備えている。
【００１９】
前記吐水流路２０は、前記浄化保温装置１０の吐水口２７ｂに連結する浄化吐水管１８と、第１空間Ａ側である前記浴槽Ｃの第１端壁５に連結する第１吐水管１６と、第２空間Ｂ側である前記浴槽Ｃの第２端壁６に連結する第２吐水管１７と、前記浄化吐水管１８が前記第１吐水管１６と前記第２吐水管１７のいずれと連通するかを切り換える吐水切換部としての吐水切換バルブ１９とを備えている。
本実施例では、吸水切換バルブ１４および吐水切換バルブ１９は、ともにモータ駆動の三方ボールバルブで構成され、ホールＩＣ（エンコーダも可）で位相を検知し、ポートａとポートｂが連通する位相と、ポートａとポートｃが連通する位相とを切り換えるようになっている。
【００２０】
前記浄化保温装置１０は、吸水口２７ａから吐水口２７ｂに連通する循環管路２７を備え、循環管路２７には、吸水口２７ａ側から、水温センサ２６と、水量センサ２１と、循環ポンプ２２と、濾過部２３と、殺菌部２４と、ヒータ（保温部）２５とが順に設けられている。
前記浄化保温装置１０では、前記吸水流路１５からの浴水ｗの流量を水量センサ２１で計測し、流量が所定の流量以上であれば循環ポンプ２２を運転して前記吐水流路２０へ吐水し、また、流量が所定の流量未満になれば循環ポンプ２２を停止するようにしている。
【００２１】
さらに、吸水口２７ａから吸水される浴水ｗは、水温センサ２６で水温を計測され、濾過部２３で濾過され、その後、殺菌部２４で殺菌され、その後、水温センサ２６で計測された水温が一定温度以下であればヒータ２５で加熱されて吐水口２７ｂから吐水流路２０へ吐水されるようにしている。
なお、本実施例では、濾過部２３による濾過と、殺菌部２４による殺菌とを併せて「浄化」と定義する。
【００２２】
本実施例の浴水浄化システムは、図６のブロック図で示すように、制御系が構成されている。
前記浄化ユニットＰには、制御装置３０が設けられ、前記制御装置３０は、ＣＰＵ３１、ＲＯＭ３２、ＲＡＭ３３を含むマイクロコンピュータと、入力インターフェース３４と、出力インターフェース３５とを備えている。前記ＲＯＭ３２には、吸水切換バルブ１４、吐水切換バルブ１９、循環ポンプ２２およびヒータ２５を制御するための制御プログラム等が記憶され、前記ＲＡＭ３３には、使用者が設定可能な浄化ユニットＰの運転に必要な入浴時間帯や水温等に関するデータが記憶されている。
【００２３】
入力インターフェース３４には、水量センサ２１、水温センサ２６、操作パネル３６および入浴終了ボタン３７が電気的に接続されている。
また、出力インターフェース３５には、吸水切換バルブ１４、吐水切換バルブ１９、循環ポンプ２２、ヒータ２５および表示装置３８がそれぞれ図示を省略する駆動回路を介して接続されている。
本実施例では、表示装置３８は、結露等の影響を考慮して、蛍光表示管を用いているが、ＬＥＤ（発光ダイオード）を用いることもできる。
【００２４】
つぎに、本実施例の使用態様と作用効果について説明する。
本実施例の浴水浄化システムは、前記浄化ユニットＰの制御装置３０によって、前記浴槽Ｃの第１空間Ａから吸水した浴水ｗを前記浄化保温装置１０により浄化し、浄化後の浴水ｗを前記第１空間Ａに吐水する第１循環モードと、前記第１空間Ａから吸水した浴水ｗを前記浄化保温装置１０により浄化し、浄化後の浴水ｗを前記第２空間Ｂに吐水する移送モードと、前記第２空間Ｂから吸水した浴水ｗを前記浄化保温装置１０により浄化し、浄化後の浴水ｗを前記第２空間Ｂに吐水する第２循環モードと、前記第２空間Ｂから吸水した浴水ｗを前記浄化保温装置１０により浄化し、浄化後の浴水ｗを前記第１空間Ａに吐水する返送モードとに切り換えて運転される。
そこで、図１〜４で示すように、第１循環モード、移送モード、第２循環モードおよび返送モードに分けて、前記浴水浄化システムの運転態様を説明する。
【００２５】
事前の準備として、図１に示すように、浴槽Ｃにおいて、第１空間Ａが最大となるように、仕切壁７を第２端壁６側に寄せた状態にしておき、図示しない給湯器等から適温の浴水ｗを所定の水位となるように浴槽Ｃに貯水する。
まず、浄化ユニットＰは、入浴時間帯では、図１に示す第１循環モードで運転される。このため、図６に示す制御装置３０は、吸水切換バルブ１４をａ−ｂ位相にするとともに、吐水切換バルブ１９をａ−ｂ位相にする。
その後、前記制御装置３０は、循環ポンプ２２をオンにすることにより、循環ポンプ２２が駆動を開始し、浴槽Ｃの第１空間Ａの浴水ｗは、第１吸水管１１、吸水切換バルブ１４、浄化吸水管１３、浄化保温装置１０の循環管路２７、浄化吐水管１８、吐水切換バルブ１９、第１吐水管１６を経由し、再び第１空間Ａへ循環される。
【００２６】
以上のように、前記第１循環モードでは、浄化ユニットＰは、浴槽Ｃの第１空間Ａの浴水ｗを循環ポンプ２２によって所定の流量で吸水し、濾過部２３で濾過し、その後、殺菌部２４で殺菌し、その後、水温センサ２６で水温を計測し、水温が設定水温以下であればヒータ２５で加熱して、再び第１空間Ａの浴水ｗに混合することを繰り返している。
【００２７】
つぎに、入浴の終了時刻が来るか、または、前記終了時刻前であっても、入浴終了ボタン３７が押されると、図２に示す移送モードに運転が切り換わり、前記制御装置３０は、入浴終了ボタン３７が押されるか、または、入浴の終了時刻が来ると、吸水切換バルブ１４をａ−ｂ位相に維持し、吐水切換バルブ１９をａ−ｃ位相に切り換える。
その後、前記制御装置３０は、循環ポンプ２２をオンにすることにより、循環ポンプ２２が駆動を開始し、浴槽Ｃの第１空間Ａの浴水ｗは、第１吸水管１１、吸水切換バルブ１４、浄化吸水管１３、浄化保温装置１０の循環管路２７、浄化吐水管１８、吐水切換バルブ１９、第２吐水管１７を経由し、浴槽Ｃの第２空間Ｂへ移送され、仕切壁７は、第２吐水管１７からの浴水ｗの水圧によって、第２端壁６側から第１端壁５側へ摺動していく。
【００２８】
さらに、浴槽Ｃの仕切壁７は、図３に示すように、第１端壁５に接近し、浴槽Ｃの第１空間Ａの浴水ｗが所定の水量よりも減少すると、前記制御装置３０は、水量センサ２１が所定の水量未満となったことを検知し、循環ポンプ２２をオフにすることにより、循環ポンプ２２が駆動を停止し、移送モードは運転を終了する。
以上のように、前記移送モードでは、浄化ユニットＰは、浴槽Ｃの第１空間Ａの浴水ｗを循環ポンプ２２によって所定の流量で吸水し、濾過部２３で濾過し、その後、殺菌部２４で殺菌して、浴槽Ｃの第２空間Ｂに吐水することにより、浴槽Ｃの第１空間Ａの浴水ｗを所定の流量で吸水しながら浄化保温装置１０で浄化し、浄化後の浴水ｗを浴槽Ｃの第２空間Ｂに分離して貯水することができる。
なお、図３に示すように、浄化された浴水ｗは、浴槽Ｃの第２空間Ｂに貯水されるが、本実施例では、第２空間Ｂに貯水された浴水ｗを以下に説明するように、入浴に使用する。
【００２９】
入浴開始時刻が来ると、図３に示す第２循環モードに運転が切り換わり、前記制御装置３０は、吸水切換バルブ１４をａ−ｃ位相に切り換え、吐水切換バルブ１９をａ−ｃ位相に維持する。
その後、前記制御装置３０は、循環ポンプ２２をオンにすることにより、循環ポンプ２２が駆動を開始し、浴槽Ｃの第２空間Ｂの浴水ｗは、第２吸水管１２、吸水切換バルブ１４、浄化吸水管１３、浄化保温装置１０の循環管路２７、浄化吐水管１８、吐水切換バルブ１９、第２吐水管１７を経由し、再び第２空間Ｂへ循環される。
【００３０】
以上のように、前記第２循環モードでは、浄化ユニットＰは、浴槽Ｃの第２空間Ｂの浴水ｗを循環ポンプ２２によって所定の流量で吸水し、濾過部２３で濾過し、その後、殺菌部２４で殺菌し、その後、水温センサ２６で水温を計測し、水温が設定温度以下であればヒータ２５で加熱して、再び第２空間Ｂの浴水ｗに混合することを繰り返している。
【００３１】
つぎに、入浴の終了時刻が来るか、または、前記終了時刻前であっても、入浴終了ボタン３７が押されると、図４に示す返送モードに運転が切り換わり、前記制御装置３０は、入浴終了ボタン３７が押されるか、または、入浴の終了時刻が来ると、吸水切換バルブ１４をａ−ｃ位相に維持し、吐水切換バルブ１９をａ−ｂ位相に切り換える。
その後、前記制御装置３０は、循環ポンプ２２をオンにすることにより、循環ポンプ２２が駆動を開始し、浴槽Ｃの第２空間Ｂの浴水ｗは、第２吸水管１２、吸水切換バルブ１４、浄化吸水管１３、浄化保温装置１０の循環管路２７、浄化吐水管１８、吐水切換バルブ１９、第１吐水管１６を経由し、浴槽Ｃの第１空間Ａへ移送され、仕切壁７は、第１吐水管１６からの浴水ｗの水圧によって、第１端壁５側から第２端壁６側へ摺動していく。
【００３２】
さらに、浴槽Ｃの仕切壁７は、図１に示すように、第２端壁６に接近し、浴槽Ｃの第２空間Ｂの浴水ｗが所定の水量よりも減少すると、前記制御装置３０は、水量センサ２１が所定の水量未満となったことを検知し、循環ポンプ２２をオフにすることにより、循環ポンプ２２が駆動を停止し、返送モードは運転を終了する。
以上のように、前記返送モードでは、浄化ユニットＰは、浴槽Ｃの第２空間Ｂの浴水ｗを循環ポンプ２２によって所定の流量で吸水し、濾過部２３で濾過し、その後、殺菌部２４で殺菌して、浴槽Ｃの第１空間Ａに吐水することにより、浴槽Ｃの第２空間Ｂの浴水ｗを所定の流量で吸水しながら浄化保温装置１０で浄化し、浄化後の浴水ｗを浴槽Ｃの第１空間Ａに分離して貯水することができる。
【００３３】
つぎに、入浴開始時刻が来ると、図１に示す第１循環モードの運転に再び戻り、以下、移送モード、第２循環モード、返送モードを順次繰り返すように、浴水浄化システムの運転は、行われる。
【００３４】
以上、説明した本実施例の浴水浄化システムにおいて、第１循環モード、移送モード、第２循環モードおよび返送モードに運転を切り換える際に、前記浄化ユニットＰの制御装置３０の動作態様について、図７のフローチャートを用いて説明する。
【００３５】
まず、図６に示す操作パネル３６から所望の水温および入浴時間帯を設定するために、ステップＳ１で、浴水ｗの水温ｔ０（例えば、４０℃）を設定すると、設定水温ｔ０が表示装置３８に表示され、続いてステップＳ２で、入浴の開始時刻Ｔ１（例えば、１８：００）を設定すると、入浴開始時刻Ｔ１が表示装置３８に表示され、続いてステップＳ３で、入浴の終了時刻Ｔ２（例えば、２３：００）を設定すると、入浴終了時刻Ｔ２が表示装置３８に表示される。
【００３６】
所望の水温および入浴時間帯の設定が終了すると、ステップＳ４で、現在の時刻Ｔが入浴時間帯であるか「Ｔ１＜Ｔ＜Ｔ２？」が判定され、現在の時刻Ｔが開始時刻Ｔ１以前または終了時刻Ｔ２以降であれば「ＮＯ」と判定され、入浴の開始時刻Ｔ１になるまでステップＳ４の判定ループが繰り返される。
その後、ステップＳ４で、現在の時刻Ｔが入浴開始時刻Ｔ１になると、「ＹＥＳ」と判定され、ステップＳ５に進み、第１循環モードのサブルーチンが実行される。
【００３７】
そこで、第１循環モードのサブルーチンＳ５について、図８のフローチャートを用いて説明する。
まず、ステップＳ２１で、図６に示す制御装置３０の出力インターフェース３５は、吸水切換バルブ１４をａ−ｂ位相にし、続いてステップＳ２２で、出力インターフェース３５は、吐水切換バルブ１９をａ−ｂ位相にし、続いてステップＳ２３で、出力インターフェース３５は、循環ポンプ２２にオン信号を送ることにより、浄化保温装置１０の循環ポンプ２２が駆動を開始する。
【００３８】
浄化保温装置１０の循環ポンプ２２が駆動を開始すると、ステップＳ２４で、制御装置３０の入力インターフェース３４から水温センサ２６の検知信号を受けて、現在の水温ｔが設定水温ｔ０未満であるか「水温ｔ＜ｔ０？」が判定され、現在の水温ｔが設定水温ｔ０未満であれば、「ＹＥＳ」と判定され、ステップＳ２５に進み、ステップＳ２５で、出力インターフェース３５は、ヒータ２５にオン信号を送ることにより、浄化保温装置１０のヒータ２５で浴水ｗを加熱し、現在の水温ｔが設定水温ｔ０以上になるまでステップＳ２４およびＳ２５の判定ループが繰り返される。
【００３９】
その後、ステップＳ２４で、前記入力インターフェース３４から水温センサ２６の検知信号を受けて、現在の水温ｔが設定水温ｔ０以上になると、「ＮＯ」と判定され、ステップＳ２６に進み、ステップＳ２６で、前記出力インターフェース３５は、ヒータ２５にオフ信号を送ることにより、浄化保温装置１０のヒータ２５による加熱を停止し、ステップＳ２７に進み、ステップＳ２７で、前記出力インターフェース３５は、循環ポンプ２２にオフ信号を送ることにより、浄化保温装置１０の循環ポンプ２２の駆動を停止し、第１循環モードのサブルーチンが終了する。
【００４０】
つぎに、図７のフローチャートに示すように、第１循環モードのサブルーチンＳ５が終了すると、ステップＳ６で、現在の時刻Ｔが入浴終了時刻を過ぎているか「Ｔ１≧Ｔ２？」が判定され、現在の時刻Ｔが終了時刻Ｔ２以前であれば「ＮＯ」と判定され、ステップＳ７に進み、ステップＳ７で、前記入力インターフェース３４から入浴終了ボタン３７の操作信号を受けて、入浴終了ボタン３７が押されたか「終了ボタンＯＮ？」が判定され、入浴終了ボタン３７が押されていない場合には、「ＮＯ」と判定され、第１循環モードのサブルーチンＳ５に戻り、入浴の終了時刻Ｔ２になるか、または入浴終了ボタン３７が押されるまでステップＳ６およびＳ７の判定ループが繰り返される。
【００４１】
その後、ステップＳ６で、現在の時刻Ｔが入浴終了時刻Ｔ２になり、「ＹＥＳ」と判定されるか、または、ステップＳ７で、入浴終了ボタン３７が押されて、「ＹＥＳ」と判定されると、ステップＳ８に進み、移送モードのサブルーチンが実行される。
そこで、移送モードのサブルーチンＳ８について、図９のフローチャートを用いて説明する。
まず、ステップＳ３１で、図６に示す制御装置３０の出力インターフェース３５は、吸水切換バルブ１４をａ−ｂ位相にし、続いてステップＳ３２で、出力インターフェース３５は、吐水切換バルブ１９をａ−ｃ位相にし、続いてステップＳ３３で、出力インターフェース３５は、循環ポンプ２２にオン信号を送ることにより、浄化保温装置１０の循環ポンプ２２が駆動を開始する。
【００４２】
浄化保温装置１０の循環ポンプ２２が駆動を開始すると、ステップＳ３４で、制御装置３０の入力インターフェース３４から水量センサ２１の検知信号を受けて、現在の水量ｓが所定の水量ｓ０未満であるか「水量ｓ＜ｓ０？」が判定され、現在の水量ｓが所定の水量ｓ０以上であれば、「ＮＯ」と判定され、現在の水量ｓが所定の水量ｓ０未満になるまでＳ３４の判定ループが繰り返される。
その後、ステップＳ３４で、前記入力インターフェース３４から水量センサ２１の検知信号を受けて、現在の水量ｓが所定の水量ｓ０未満になると、「ＹＥＳ」と判定され、ステップＳ３５で、前記出力インターフェース３５は、循環ポンプ２２にオフ信号を送ることにより、浄化保温装置１０の循環ポンプ２２の駆動を停止し、移送モードのサブルーチンＳ８が終了する。
【００４３】
つぎに、図７のフローチャートに示すように、移送モードのサブルーチンＳ８が終了すると、ステップＳ９で、現在の時刻Ｔが入浴時間帯であるか「Ｔ１＜Ｔ＜Ｔ２？」が判定され、現在の時刻Ｔが開始時刻Ｔ１以前または終了時刻Ｔ２以降であれば「ＮＯ」と判定され、入浴の開始時刻Ｔ１になるまでステップＳ９の判定ループが繰り返される。
その後、ステップＳ９で、現在の時刻Ｔが入浴開始時刻Ｔ１になると、「ＹＥＳ」と判定され、ステップＳ１０に進み、第２循環モードのサブルーチンが実行される。
【００４４】
そこで、第２循環モードのサブルーチンＳ１０について、図１０のフローチャートを用いて説明する。
まず、ステップＳ４１で、図６に示す制御装置３０の出力インターフェース３５は、吸水切換バルブ１４をａ−ｃ位相にし、続いてステップＳ４２で、吐水切換バルブ１９をａ−ｃ位相にし、続いてステップＳ４３で、出力インターフェース３５は、循環ポンプ２２にオン信号を送ることにより、浄化保温装置１０の循環ポンプ２２が駆動を開始する。
【００４５】
浄化保温装置１０の循環ポンプ２２が駆動を開始すると、ステップＳ４４で、制御装置３０の入力インターフェース３４から水温センサ２６の検知信号を受けて、現在の水温ｔが設定水温ｔ０未満であるか「水温ｔ＜ｔ０？」が判定され、現在の水温ｔが設定水温ｔ０未満であれば、「ＹＥＳ」と判定され、ステップＳ４５で、出力インターフェース３５は、ヒータ２５にオン信号を送ることにより、浄化保温装置１０のヒータ２５で浴水ｗを加熱し、現在の水温ｔが設定水温ｔ０以上になるまでステップＳ４４およびＳ４５の判定ループが繰り返される。
【００４６】
その後、ステップＳ４４で、前記入力インターフェース３４から水温センサ２６の検知信号を受けて、現在の水温ｔが設定水温ｔ０以上になると、「ＮＯ」と判定され、ステップＳ４６で、前記出力インターフェース３５は、ヒータ２５にオフ信号を送ることにより、浄化保温装置１０のヒータ２５による加熱を停止し、ステップＳ４７で、前記出力インターフェース３５は、循環ポンプ２２にオフ信号を送ることにより、浄化保温装置１０の循環ポンプ２２の駆動を停止し、第２循環モードのサブルーチンが終了する。
【００４７】
つぎに、図７のフローチャートに示すように、第２循環モードのサブルーチンＳ１０が終了すると、ステップＳ１１で、現在の時刻Ｔが入浴終了時刻を過ぎているか「Ｔ１≧Ｔ２？」が判定され、現在の時刻Ｔが終了時刻Ｔ２以前であれば「ＮＯ」と判定され、ステップＳ１２で、前記入力インターフェース３４から入浴終了ボタン３７の操作信号を受けて、入浴終了ボタン３７が押されたか「終了ボタンＯＮ？」が判定され、入浴終了ボタン３７が押されていない場合には、「ＮＯ」と判定され、第２循環モードのサブルーチンＳ１０に戻り、入浴の終了時刻Ｔ２になるか、または入浴終了ボタン３７が押されるまでステップＳ１１およびＳ１２の判定ループが繰り返される。
【００４８】
その後、ステップＳ１１で、現在の時刻Ｔが入浴終了時刻Ｔ２になり、「ＹＥＳ」と判定されるか、または、ステップＳ１２で、入浴終了ボタン３７が押されて、「ＹＥＳ」と判定されると、ステップＳ１３に進み、返送モードのサブルーチンが実行される。
そこで、返送モードのサブルーチンＳ１３について、図１１のフローチャートを用いて説明する。
まず、ステップＳ５１で、図６に示す制御装置３０の出力インターフェース３５は、吸水切換バルブ１４をａ−ｃ位相にし、続いてステップＳ５２で、出力インターフェース３５は、吐水切換バルブ１９をａ−ｂ位相にし、続いてステップＳ５３で、出力インターフェース３５は、循環ポンプ２２にオン信号を送ることにより、浄化保温装置１０の循環ポンプ２２が駆動を開始する。
【００４９】
浄化保温装置１０の循環ポンプ２２が駆動を開始すると、ステップＳ５４で、制御装置３０の入力インターフェース３４から水量センサ２１の検知信号を受けて、現在の水量ｓが所定の水量ｓ０未満であるか「水量ｓ＜ｓ０？」が判定され、現在の水量ｓが所定の水量ｓ０以上であれば、「ＮＯ」と判定され、現在の水量ｓが所定の水量ｓ０未満になるまでＳ５４の判定ループが繰り返される。
その後、ステップＳ５４で、前記入力インターフェース３４から水量センサ２１の検知信号を受けて、現在の水量ｓが所定の水量ｓ０未満になると、「ＹＥＳ」と判定され、ステップＳ５５で、前記出力インターフェース３５は、循環ポンプ２２にオフ信号を送ることにより、浄化保温装置１０の循環ポンプ２２の駆動を停止し、返送モードのサブルーチンＳ１３が終了する。
【実施例２】
【００５０】
次に、浴水浄化システムにおける分割部材の構成を変更した第２実施例について説明する。
以下、第１実施例と同一の構成部分には同一の符号を付し、相違点を中心に説明する
図１２〜１５において、Ｃａは浴水ｗを貯水する浴槽、Ｐは前記浴槽Ｃａから吸水した浴水ｗを浄化し、浄化後の浴水ｗを前記浴槽Ｃａへ吐水する浄化ユニットである。
【００５１】
前記浴槽Ｃａは、第１実施例と同様に、水平な底壁２と、前記底壁２から垂直に立設され対向する一対の側壁（図示せず）と、前記一対の側壁夫々の一端側を閉鎖するように設置される第１端壁５と、前記一対の側壁夫々の他端側を閉鎖するように設置される第２端壁６とを備えている。
【００５２】
前記浴槽Ｃａは、内部を任意の割合で第１空間Ａａと第２空間Ｂａとに分割するために、分割部材として、伸縮性チャンバー４０を備えている。
前記伸縮性チャンバー４０は、第１端壁５と対向し、剛性を有する矩形状の仕切部４１と、一端が前記仕切部４１によって閉鎖され、他端が前記第２端壁６の周縁に接続され、水平方向に伸縮する角筒形状で蛇腹状の胴部４２とを備え、前記浴槽Ｃａの前記第２端壁６から前記第１端壁５に向けて胴部４２が伸長することにより、前記仕切部４１は、前記第１端壁５と前記第２端壁６との間を前記両端壁５、６と平行に移動できるように設けられている。
本実施例では、伸縮性チャンバー４０の胴部４２は、防水性を有するシート材料の表面に細かな凹凸や毛羽を付与する加工を施している。
【００５３】
図１２〜１５に示すように、浄化ユニットＰは、第１実施例と同様に、浴水ｗを浄化する浄化本体としての浄化保温装置１０と、前記浄化保温装置１０の吸水口２７ａに連結する浄化吸水管１３と、第１空間Ａａ側である前記浴槽Ｃａの第１端壁５に連結する第１吸水管１１と、第２空間Ｂａ側である前記浴槽Ｃａの第２端壁６に連結する第２吸水管１２と、前記浄化吸水管１３が前記第１吸水管１１と前記第２吸水管１２のいずれと連通するかを切り換える吸水切換部としての吸水切換バルブ１４とを含む吸水流路１５と、前記浄化保温装置１０の吐水口２７ｂに連結する浄化吐水管１８と、第１空間Ａａ側である前記浴槽Ｃａの第１端壁５に連結する第１吐水管１６と、第２空間Ｂａ側である前記浴槽Ｃａの第２端壁６に連結する第２吐水管１７と、前記浄化吐水管１８が前記第１吐水管１６と前記第２吐水管１７のいずれと連通するかを切り換える吐水切換部としての吐水切換バルブ１９とを含む吐水流路２０とを備えている。
【００５４】
つぎに、本実施例の使用態様と作用効果について説明する。
本実施例の浴水浄化システムは、第１実施例と同様に、前記浴槽Ｃａの第１空間Ａａから吸水した浴水ｗを前記浄化保温装置１０により浄化し、浄化後の浴水ｗを前記第１空間Ａａに吐水する第１循環モードと、前記第１空間Ａａから吸水した浴水ｗを前記浄化保温装置１０により浄化し、浄化後の浴水ｗを前記第２空間Ｂａに吐水する移送モードと、前記第２空間Ｂａから吸水した浴水ｗを前記浄化保温装置１０により浄化し、浄化後の浴水ｗを前記第２空間Ｂａに吐水する第２循環モードと、前記第２空間Ｂａから吸水した浴水ｗを前記浄化保温装置１０により浄化し、浄化後の浴水ｗを前記第１空間Ａａに吐水する返送モードとに切り換えて運転される。
そこで、図１２〜１５で示すように、第１循環モード、移送モード、第２循環モードおよび返送モードに分けて、前記浴水浄化システムの運転態様を説明する。
【００５５】
事前の準備として、図１２に示すように、浴槽Ｃａにおいて、第１空間Ａａが最大となるように、伸縮性チャンバー４０は、蛇腹状の胴部４２を重層するように折り畳み、仕切部４１を第２端壁６側に寄せた状態にしておき、図示しない給湯器等から適温の浴水ｗを所定の水位となるように浴槽Ｃａに貯水する。
まず、浄化ユニットＰは、入浴時間帯では、図１２に示す第１循環モードで運転される。このため、吸水切換バルブ１４をａ−ｂ位相にし、吐水切換バルブ１９をａ−ｂ位相にする。
その後、循環ポンプ２２が駆動を開始し、浴槽Ｃａの第１空間Ａａの浴水ｗは、第１吸水管１１、吸水切換バルブ１４、浄化吸水管１３、浄化保温装置１０の循環管路２７、浄化吐水管１８、吐水切換バルブ１９、第１吐水管１６を経由し、再び第１空間Ａａへ循環される。
【００５６】
以上のように、前記第１循環モードでは、浄化ユニットＰは、浴槽Ｃａの第１空間Ａａの浴水ｗを循環ポンプ２２によって所定の流量で吸水し、濾過部２３で濾過し、その後、殺菌部２４で殺菌し、その後、水温センサ２６で水温を計測し、水温が設定水温以下であればヒータ２５で加熱して、再び第１空間Ａａの浴水ｗに混合することを繰り返している。
【００５７】
つぎに、入浴の終了時刻が来るか、または、前記終了時刻前であっても、入浴終了ボタン（図示せず）が押されると、図１３に示す移送モードに運転が切り換わり、吸水切換バルブ１４をａ−ｂ位相に維持し、吐水切換バルブ１９をａ−ｃ位相に切り換える。
その後、循環ポンプ２２が駆動を開始し、浴槽Ｃａの第１空間Ａａの浴水ｗは、第１吸水管１１、吸水切換バルブ１４、浄化吸水管１３、浄化保温装置１０の循環管路２７、浄化吐水管１８、吐水切換バルブ１９、第２吐水管１７を経由し、浴槽Ｃａの第２空間Ｂａである伸縮性チャンバー４０内へ移送され、伸縮性チャンバー４０は、第２吐水管１７からの浴水ｗの水圧によって、蛇腹状の胴部４２が伸長し、仕切部４１は、第２端壁６側から第１端壁５側へ移動していく。
このとき、胴部４２は、前述したように、表面に細かな凹凸や毛羽が付与されているために、蛇腹状の胴部４２が伸長することによって、浴槽Ｃａの第１空間Ａａの浴槽喫水線付近の汚れを擦って清掃することができる。
【００５８】
さらに、伸縮性チャンバー４０の仕切部４１は、図１４に示すように、第１端壁５に接近し、浴槽Ｃａの第１空間Ａａの浴水ｗが所定の水量よりも減少すると、水量センサ２１が所定の水量未満となったことを検知し、循環ポンプ２２の駆動を停止し、移送モードは運転を終了する。
以上のように、前記移送モードでは、浄化ユニットＰは、浴槽Ｃａの第１空間Ａａの浴水ｗを循環ポンプ２２によって所定の流量で吸水し、濾過部２３で濾過し、その後、殺菌部２４で殺菌して、浴槽Ｃａの第２空間Ｂａである伸縮性チャンバー４０内に吐水することにより、浴槽Ｃａの第１空間Ａａの浴水ｗを所定の流量で吸水しながら浄化保温装置１０で浄化し、浄化後の浴水ｗを浴槽Ｃａの第２空間Ｂａである伸縮性チャンバー４０内に分離して貯水することができる。
【００５９】
前記移送モードが終了すると、図１４に示す第２循環モードに運転が切り換わり、吸水切換バルブ１４をａ−ｃ位相に切り換え、吐水切換バルブ１９をａ−ｃ位相に維持する。
その後、循環ポンプ２２が駆動を開始し、浴槽Ｃａの第２空間Ｂａである伸縮性チャンバー４０内の浴水ｗは、第２吸水管１２、吸水切換バルブ１４、浄化吸水管１３、浄化保温装置１０の循環管路２７、浄化吐水管１８、吐水切換バルブ１９、第２吐水管１７を経由し、再び第２空間Ｂａである伸縮性チャンバー４０内へ循環される。
なお、本実施例では、第２空間Ｂａの浴水ｗは、閉鎖空間である伸縮性チャンバー４０内に貯水されているので、循環ポンプ２２の駆動は、連続する必要はなく、所定の時間毎に間欠的に駆動するようにしてもよい。
以上のように、前記第２循環モードでは、浄化ユニットＰは、浴槽Ｃａの第２空間Ｂａである伸縮性チャンバー４０内の浴水ｗを循環ポンプ２２によって所定の流量で吸水し、濾過部２３で濾過し、その後、殺菌部２４で殺菌し、その後、水温センサ２６で水温を計測し、水温が設定温度以下であればヒータ２５で加熱して、再び第２空間Ｂａである伸縮性チャンバー４０内の浴水ｗに混合することを繰り返している。
【００６０】
つぎに、入浴開始時刻の一定時間前（例えば、返送モードの運転が終了するのに要する時間＋α）になると、図１５に示す返送モードに運転が切り換わり、吸水切換バルブ１４をａ−ｃ位相に維持し、吐水切換バルブ１９をａ−ｂ位相に切り換える。
その後、循環ポンプ２２が駆動を開始し、浴槽Ｃａの第２空間Ｂａである伸縮性チャンバー４０内の浴水ｗは、第２吸水管１２、吸水切換バルブ１４、浄化吸水管１３、浄化保温装置１０の循環管路２７、浄化吐水管１８、吐水切換バルブ１９、第１吐水管１６を経由し、浴槽Ｃａの第１空間Ａａへ移送され、伸縮性チャンバー４０は、第１吐水管１６からの浴水ｗの水圧によって、蛇腹状の胴部４２が折り畳まれ、仕切部４１は、第１端壁５側から第２端壁６側へ移動していく。
【００６１】
さらに、伸縮性チャンバー４０の仕切部４１は、図１２に示すように、第２端壁６に接近し、浴槽Ｃａの第２空間Ｂａである伸縮性チャンバー４０内の浴水ｗが所定の水量よりも減少すると、水量センサ２１が所定の水量未満となったことを検知し、循環ポンプ２２の駆動を停止し、返送モードは運転を終了する。
以上のように、前記返送モードでは、浄化ユニットＰは、浴槽Ｃａの第２空間Ｂａである伸縮性チャンバー４０内の浴水ｗを循環ポンプ２２によって所定の流量で吸水し、濾過部２３で濾過し、その後、殺菌部２４で殺菌して、浴槽Ｃａの第１空間Ａａに吐水することにより、浴槽Ｃａの第２空間Ｂａである伸縮性チャンバー４０内の浴水ｗを所定の流量で吸水しながら浄化保温装置１０で浄化し、浄化後の浴水ｗを浴槽Ｃａの第１空間Ａａに分離して貯水することができる。
【００６２】
つぎに、入浴開始時刻が来ると、図１２に示す第１循環モードの運転に再び戻り、以下、移送モード、第２循環モード、返送モードを順次繰り返すように、浴水浄化システムの運転は、行われる。
【００６３】
以上、説明した本実施例の浴水浄化システムにおいて、第１循環モード、移送モード、第２循環モードおよび返送モードに運転を切り換えるために、第１実施例と同様に、図６のブロック図で示す制御装置３０を用いることができ、前記各モードの運転切換は、図７〜１１に示すフローチャートによって実行することができる。
【産業上の利用可能性】
【００６４】
本発明の浴水浄化システム、浴水浄化方法および浴水浄化ユニットは、浄化後の浴水を分離して貯水することができるので、浴水の浄化を効率良く行うことができ、特に２４時間風呂に適用して有利なものである。
【符号の説明】
【００６５】
Ａ、Ａａ      第１空間
Ｂ、Ｂａ      第２空間
Ｃ、Ｃａ      浴槽
Ｐ            浄化ユニット
ｗ            浴水
２            底壁
３、４        側壁
３ａ、４ａ    一端側
３ｂ、４ｂ    他端側
５            第１端壁
６            第２端壁
７            仕切壁（分割部材）
７ａ、７ｂ    側面
７ｃ          下端面
１０            浄化保温装置（浄化本体）
１１            第１吸水管
１２            第２吸水管
１３            浄化吸水管
１４            吸水切換バルブ（吸水切換部）
１５            吸水流路
１６            第１吐水管
１７            第２吐水管
１８            浄化吐水管
１９            吐水切換バルブ（吐水切換部）
２０            吐水流路
２１            水量センサ
２２            循環ポンプ
２３            濾過部
２４            殺菌部
２５            ヒータ（保温部）
２６            水温センサ
２７            循環管路
２７ａ          吸水口
２７ｂ          吐水口
３０            制御装置
３１            ＣＰＵ
３２            ＲＯＭ
３３            ＲＡＭ
３４            入力インターフェース
３５            出力インターフェース
３６            操作パネル
３７            入浴終了ボタン
３８            表示装置
４０            伸縮性チャンバー（分割部材）
４１            仕切部
４２            胴部
【図１】
2020014556.tif 000003
【図２】
2020014556.tif 000004
【図３】
2020014556.tif 000005
【図４】
2020014556.tif 000006
【図５】
2020014556.tif 000007
【図６】
2020014556.tif 000008
【図７】
2020014556.tif 000009
【図８】
2020014556.tif 000010
【図９】
2020014556.tif 000011
【図１０】
2020014556.tif 000012
【図１１】
2020014556.tif 000013
【図１２】
2020014556.tif 000014
【図１３】
2020014556.tif 000015
【図１４】
2020014556.tif 000016
【図１５】
2020014556.tif 000017